(57)【要約】  本発明は、千鳥配置が設けられた表示部を備える構成において、１つ前の出力で予備充電を行いつつ、表示画面の左右端に生じるドット状のムラを解消することを目的とする。  本発明は、アクティブマトリクス型の表示装置であって、水平期間であるｋの順に連続する第ｋの期間（ｋは０からｎまでの整数）の各期間中に、各データ信号線（Ｓ１〜Ｓ２７７３）には、コモン電位を極性の基準とする電位極性が不変で、かつ、隣接するデータ信号線に出力される信号とは逆極性の電位極性である信号が線順次に出力され、第ｋの期間に信号を書き込み完了する絵素は、第（ｋ−１）の期間の期間中から第ｋの期間の期間中まで、接続されているデータ信号線と導通するように選択され、有効表示領域に対する１≦ｋ≦ｎ−１の第ｋの期間のそれぞれにおいて、第ｋの期間に信号を書き込み完了する絵素に接続されていないデータ信号線（Ｓ１またはＳ２７７３）には、第（ｋ−１）の期間の期間中に出力されていた上記信号が出力される。
2011007613.tif 000002
【特許請求の範囲】
【請求項１】
アクティブマトリクス型の表示装置であって、
有効表示領域の各列の絵素は、絵素の一方側に隣接するデータ信号線に接続されているものと、絵素の他方側に隣接するデータ信号線に接続されているものとが配置されており、
有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号が線順次に出力され、有効表示領域における第ｋの期間に信号を書き込み完了する絵素は、第（ｋ−１）の期間の期間中から第ｋの期間の期間中まで、接続されているデータ信号線と導通するように選択され、
有効表示領域に対する１≦ｋ≦ｎ−１の第ｋの期間のそれぞれにおいて、第ｋの期間に信号を書き込み完了する絵素に接続されていないデータ信号線には、第（ｋ−１）の期間の期間中に出力されていた上記信号が出力されることを特徴とする表示装置。
【請求項２】
アクティブマトリクス型の表示装置であって、
有効表示領域の各列の絵素は、絵素の一方側に隣接するデータ信号線に接続されているものと、絵素の他方側に隣接するデータ信号線に接続されているものとが配置されており、
有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号が線順次に出力され、有効表示領域における第ｋの期間に信号を書き込み完了する絵素は、第（ｋ−１）の期間の期間中から第ｋの期間の期間中まで、接続されているデータ信号線と導通するように選択され、
有効表示領域に対する１≦ｋ≦ｎ−１の第ｋの期間のそれぞれにおいて、第ｋの期間に信号を書き込み完了する絵素に接続されていないデータ信号線には、グレーデータに対応する信号が出力されることを特徴とする表示装置。
【請求項３】
アクティブマトリクス型の表示装置であって、
有効表示領域の各列の絵素は、絵素の一方側に隣接するデータ信号線に接続されているものと、絵素の他方側に隣接するデータ信号線に接続されているものとが配置されており、
有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号が線順次に出力され、有効表示領域における第ｋの期間に信号を書き込み完了する絵素は、第（ｋ−１）の期間の期間中から第ｋの期間の期間中まで、接続されているデータ信号線と導通するように選択され、
有効表示領域に対する１≦ｋ≦ｎ−１の第ｋの期間のそれぞれにおいて、第ｋの期間に信号を書き込み完了する絵素に接続されておらず、かつ第（ｋ＋１）の期間に信号を書き込み完了する絵素に接続されているデータ信号線には、第（ｋ＋１）の期間に信号を書き込み完了する絵素に第（ｋ＋１）の期間に書き込む信号に基づいて、最低輝度階調に対応する信号および最大輝度階調に対応する信号のいずれか一方の信号が出力されることを特徴とする表示装置。
【請求項４】
上記有効表示領域の各絵素は、垂直および水平方向に互いに隣接する２×２個の、Ｒ・Ｇ・Ｂ・Ｙにそれぞれ対応する絵素を１画素として、マトリクス状に配列されており、
上記有効表示領域の各列の絵素は、絵素の一方側に隣接するデータ信号線に接続されているものと、絵素の他方側に隣接するデータ信号線に接続されているものとが、２個ずつ交互に配置されていることを特徴とする請求項１〜３のいずれか１項に記載の表示装置。
【請求項５】
上記有効表示領域の各絵素は、垂直または水平方向に隣接する３個の、Ｒ・Ｇ・Ｂにそれぞれ対応する絵素を１画素として、マトリクス状に配列されており、
上記有効表示領域の各列の絵素は、絵素の一方側に隣接するデータ信号線に接続されているものと、絵素の他方側に隣接するデータ信号線に接続されているものとが、１個ずつ交互に配置されていることを特徴とする請求項１〜３のいずれか１項に記載の表示装置。
【請求項６】
アクティブマトリクス型の表示装置の駆動方法であって、
有効表示領域の各列の絵素は、絵素の一方側に隣接するデータ信号線に接続されているものと、絵素の他方側に隣接するデータ信号線に接続されているものとが配置されており、
有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号を線順次に出力し、有効表示領域における第ｋの期間に信号を書き込み完了する絵素を、第（ｋ−１）の期間の期間中から第ｋの期間の期間中まで、接続されているデータ信号線と導通するように選択し、
有効表示領域に対する１≦ｋ≦ｎ−１の第ｋの期間のそれぞれにおいて、第ｋの期間に信号を書き込み完了する絵素に接続されていないデータ信号線には、第（ｋ−１）の期間の期間中に出力されていた上記信号を出力することを特徴とする表示装置の駆動方法。
【請求項７】
アクティブマトリクス型の表示装置の駆動方法であって、
有効表示領域の各列の絵素は、絵素の一方側に隣接するデータ信号線に接続されているものと、絵素の他方側に隣接するデータ信号線に接続されているものとが配置されており、
有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号を線順次に出力し、有効表示領域における第ｋの期間に信号を書き込み完了する絵素を、第（ｋ−１）の期間の期間中から第ｋの期間の期間中まで、接続されているデータ信号線と導通するように選択し、
有効表示領域に対する１≦ｋ≦ｎ−１の第ｋの期間のそれぞれにおいて、第ｋの期間に信号を書き込み完了する絵素に接続されていないデータ信号線には、グレーデータに対応する信号を出力することを特徴とする表示装置の駆動方法。
【請求項８】
アクティブマトリクス型の表示装置の駆動方法であって、
有効表示領域の各列の絵素は、絵素の一方側に隣接するデータ信号線に接続されているものと、絵素の他方側に隣接するデータ信号線に接続されているものとが配置されており、
有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号を線順次に出力し、有効表示領域における第ｋの期間に信号を書き込み完了する絵素を、第（ｋ−１）の期間の期間中から第ｋの期間の期間中まで、接続されているデータ信号線と導通するように選択し、
有効表示領域に対する１≦ｋ≦ｎ−１の第ｋの期間のそれぞれにおいて、第ｋの期間に信号を書き込み完了する絵素に接続されておらず、かつ第（ｋ＋１）の期間に信号を書き込み完了する絵素に接続されているデータ信号線には、第（ｋ＋１）の期間に信号を書き込み完了する絵素に第（ｋ＋１）の期間に書き込む信号に基づいて、最低輝度階調に対応する信号および最大輝度階調に対応する信号のいずれか一方の信号を出力することを特徴とする表示装置の駆動方法。
【請求項９】
上記有効表示領域の各絵素は、垂直および水平方向に互いに隣接する２×２個の、Ｒ・Ｇ・Ｂ・Ｙにそれぞれ対応する絵素を１画素として、マトリクス状に配列されており、
上記有効表示領域の各列の絵素は、絵素の一方側に隣接するデータ信号線に接続されているものと、絵素の他方側に隣接するデータ信号線に接続されているものとが、２個ずつ交互に配置されていることを特徴とする請求項６〜８のいずれか１項に記載の表示装置の駆動方法。
【請求項１０】
上記有効表示領域の各絵素は、垂直または水平方向に隣接する３個の、Ｒ・Ｇ・Ｂにそれぞれ対応する絵素を１画素として、マトリクス状に配列されており、
上記有効表示領域の各列の絵素は、絵素の一方側に隣接するデータ信号線に接続されているものと、絵素の他方側に隣接するデータ信号線に接続されているものとが、１個ずつ交互に配置されていることを特徴とする請求項６〜８のいずれか１項に記載の表示装置の駆動方法。
【発明の詳細な説明】
【技術分野】
【０００１】
本発明は、表示装置および表示装置の駆動方法に関するものであり、特に、表示部の絵素に対して予備充電を行う技術に関する。
【背景技術】
【０００２】
従来、液晶表示装置では、年々増加する高画素や高開口率の液晶パネルに対し表示品質を高めるために、液晶パネルの絵素への種々の駆動方法が開発されている。種々の駆動方法のうち、交流駆動としては、フレーム反転駆動や、ライン反転駆動、ドット反転駆動などがあり、それらを組み合わせて用いることもできる。【０００３】
一般的に、液晶パネルでは、マトリクス状に配列された複数の絵素が形成されており、行単位で絵素を選択するためのゲートバスラインが行毎に形成されているとともに、各絵素に対してデータ信号を供給するためのソースバスラインが列毎に形成されている。ソースバスラインにデータ信号が出力されている間にゲートバスラインを走査して絵素を選択し、その選択した絵素にデータ信号を印加させることによって、絵素は駆動される。この絵素駆動動作は、種々の駆動方法を用いる場合であっても行われる共通の動作である。【０００４】
ところで、絵素の劣化を抑制するために、絵素に印加するデータ信号は、コモン電位を極性の基準として、正極性および負極性が交互に切り替えられている。そして、特にドット反転駆動が、上下左右の隣接絵素に印加するデータ信号を逆極性にすることから、絵素電位が安定して入力されるので、画質向上に良好とされている。【０００５】
しかし、走査速度が高まるにつれて、ドット反転駆動では、ソースバスラインの電位の書き換え周期が短くなるため、絵素の充電不足が発生するという問題がある。また、消費電力の面を考慮すると、ソースバスラインの電位の書き換え周期は長いことが望ましい。【０００６】
そこで、例えば特許文献１に、ソースバスラインに対する画素の接続を交互にすることにより、見かけ上ドット反転駆動を行っているようにする技術が記載されている。この技術では、ソースバスラインを１本追加することで、各列の画素を、左右に隣り合うソースバスラインに対して１行ずつ交互に接続する一方、各ソースバスラインに対しては、行方向の隣り合う画素間で同極性、列方向の隣り合う画素間で逆極性で、かつその極性の関係が１フィールドごとに反転するデータ信号を供給するようにしている。これにより、見た目ではドット反転駆動になっているが、１フィールド期間ではソースバスラインは同じ極性とすることができる。
【先行技術文献】
【特許文献】
【０００７】
【特許文献１】日本国公開特許公報「特開２００１−４２２８７号公報（平成１３年２月１６日公開）」
【発明の概要】
【発明が解決しようとする課題】
【０００８】
ところで、種々の駆動方法のいずれにおいても、絵素が、印加したデータ信号の電位に到達しないという問題があった。これは、画素数の増加などに伴って、１水平期間を短くせざるを得ない場合が生じていたため、１絵素に対する駆動時間が短くなったことや、大面積の液晶パネルにおいてソースバスラインが長くなり、その抵抗および容量が大きくなったことなどに起因している。絵素の電位すなわち充電が不十分であると、表示ムラやコントラストの低下が生じ、表示品質の低下につながる。そこで、絵素に対し、本充電の前に予備充電（プリチャージ）することが行われている。【０００９】
しかしながら、特許文献１に記載の技術のように、各列の画素が、左側に隣接するソースバスラインに接続されているものと、右側に隣接するソースバスラインに接続されているものとが１個ずつ配置されている構成において、走査信号の出力期間を長くすることで１つ前の行のデータ信号を用いて予備充電を行った場合、表示画面の左右端だけに、ドット状のムラが生じるという問題がある。【００１０】
図１１に、垂直および水平方向に互いに隣接する２×２個の絵素１０１によりＲＧＢの１画素１０２が構成されている液晶パネル１００において、各列の絵素１０１が、左側に隣接するソースバスラインに接続されているものと、右側に隣接するソースバスラインに接続されているものとが２個ずつ交互に配置されている構成を示す。なお、以下では、各列の絵素が、左側に隣接するソースバスラインに接続されているものと、右側に隣接するソースバスラインに接続されているものとが配置されている構成を千鳥配置と呼ぶこととする。【００１１】
図１１に示すように、千鳥配置の場合、左端および右端に位置するソースバスラインＳ１・Ｓ２７７３には、２行おきに絵素１０１が接続されている。換言すると、行単位で見たとき、各行において、図１１中矢印で示す箇所のように、ソースバスラインＳ１・Ｓ２７７３に絵素１０１が接続されていない行が存在する。【００１２】
このため、例えば、ゲートバスラインＧ２に接続された絵素１０１にデータ信号を書き込む水平期間では、絵素１０１が接続されていないソースバスラインＳ２７７３には、データ信号が出力されず、代わりに最低階調電圧（例えばノーマリーブラックの場合に黒電圧）が供給される。それゆえ、ゲートバスラインＧ３に接続された絵素１０１へのデータ信号の書き込みにおいて、走査信号を１つ前の水平期間中から出力することで１つ前の行の出力で予備充電し、その後に本充電しようとしても、ソースバスラインＳ２７７３にはデータ信号が出力されていなかったため、左端の絵素１０１だけ予備充電されず所望の電位に到達しないことがある。【００１３】
このように、千鳥配置の構成では、左右端に位置する絵素１０１は、それ以外の絵素１０１と比較して、充電の早さが異なることがある。この場合、液晶に充電される到達電位に差が生じ、その結果、図１２に示すように、表示画面の左右端だけ輝度が変わり、ドット状にムラが発生する。これは、特に中間調グレーベタなどの表示パターンでは顕著に現われる。【００１４】
なお、液晶パネル１００がノーマリーブラック（ＮＢ）の表示タイプの場合、通常、非表示エリアは最低階調電圧である黒電圧としているので、上記ムラは他と比べて少し黒く見える。逆に、液晶パネル１００がノーマリーホワイト（ＮＷ）の表示タイプの場合、通常、非表示エリアは最低階調電圧である白電圧としているので、上記ムラは他と比べて少し白く見える。【００１５】
本発明は、上記従来の問題点に鑑みなされたものであって、その目的は、千鳥配置が設けられた表示部を備える構成において、１つ前の出力で予備充電を行いつつ、表示画面の左右端に生じるドット状のムラを解消することができる表示装置および表示装置の駆動方法を提供することにある。
【課題を解決するための手段】
【００１６】
本発明の表示装置は、上記課題を解決するために、アクティブマトリクス型の表示装置であって、有効表示領域の各列の絵素は、絵素の一方側に隣接するデータ信号線に接続されているものと、絵素の他方側に隣接するデータ信号線に接続されているものとが配置されており、有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号が線順次に出力され、有効表示領域における第ｋの期間に信号を書き込み完了する絵素は、第（ｋ−１）の期間の期間中から第ｋの期間の期間中まで、接続されているデータ信号線と導通するように選択され、有効表示領域に対する１≦ｋ≦ｎ−１の第ｋの期間のそれぞれにおいて、第ｋの期間に信号を書き込み完了する絵素に接続されていないデータ信号線には、第（ｋ−１）の期間の期間中に出力されていた上記信号が出力されることを特徴としている。【００１７】
また、本発明の表示装置の駆動方法は、上記課題を解決するために、アクティブマトリクス型の表示装置の駆動方法であって、有効表示領域の各列の絵素は、絵素の一方側に隣接するデータ信号線に接続されているものと、絵素の他方側に隣接するデータ信号線に接続されているものとが配置されており、有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号を線順次に出力し、有効表示領域における第ｋの期間に信号を書き込み完了する絵素を、第（ｋ−１）の期間の期間中から第ｋの期間の期間中まで、接続されているデータ信号線と導通するように選択し、有効表示領域に対する１≦ｋ≦ｎ−１の第ｋの期間のそれぞれにおいて、第ｋの期間に信号を書き込み完了する絵素に接続されていないデータ信号線には、第（ｋ−１）の期間の期間中に出力されていた上記信号を出力することを特徴としている。【００１８】
上記の構成によれば、有効表示領域の各列の絵素は、絵素の一方側に隣接するデータ信号線に接続されているものと、絵素の他方側に隣接するデータ信号線に接続されているものとが配置されており（以下、千鳥配置と称する）、また、各データ信号線には、コモン電位を極性の基準とする電位極性が不変で、かつ、隣接するデータ信号線に出力される信号とは逆極性の電位極性である信号が線順次に出力されることから、実質的にドット反転駆動を行うことが可能となっている。【００１９】
また、ｋの順に連続する第ｋの期間（ｋは０からｎまでの整数）の各期間中に、有効表示領域における第ｋの期間に信号を書き込み完了する絵素は、第（ｋ−１）の期間の期間中から第ｋの期間の期間中まで、接続されているデータ信号線と導通するように選択されることにより、有効表示領域における第ｋの期間に信号を書き込み完了する絵素は、１つ前の第（ｋ−１）の期間の期間中に出力されている同極性の信号によって予備充電された後、本充電されることになる。よって、本充電時間が短い場合であっても、書き込むべき信号の電位に十分に到達することが可能となる。【００２０】
ここで、従来、有効表示領域に対する各水平期間において、当該水平期間に信号を書き込み完了する絵素に接続されていないデータ信号線には、非表示エリアとみなし常に最低階調電圧（例えばノーマリーブラックの場合に黒電圧）が供給されていた。このため、データ信号線に対する絵素の接続が１つ前の行とで切り替わる行では、左端または右端に位置する絵素が１つ前の水平期間中に予備充電されず、本水平期間中に十分に所望の電位に到達させることができない事態が生じていた。【００２１】
これに対し、上記の構成によれば、有効表示領域に対する１≦ｋ≦ｎ−１の第ｋの期間のそれぞれにおいて、第ｋの期間に信号を書き込み完了する絵素に接続されていないデータ信号線には、第（ｋ−１）の期間の期間中に出力されていた上記信号が出力される。よって、データ信号線に対する絵素の接続が１つ前の行とで切り替わる行では、左端または右端に位置する絵素と、それ以外の絵素とで、予備充電期間のデータ信号線出力電圧の差が無くなり、その結果、液晶に充電される電位に差を無くすことが可能となる。【００２２】
したがって、千鳥配置が設けられた表示部を備える構成において、１つ前の出力で予備充電を行いつつ、表示画面の左右端に生じるドット状のムラを解消することが可能となる。【００２３】
なお、本発明の表示装置は、以下の構成であってもよい。【００２４】
すなわち、本発明の表示装置は、アクティブマトリクス型の表示装置であって、有効表示領域の各列の絵素は、絵素の一方側に隣接するデータ信号線に接続されているものと、絵素の他方側に隣接するデータ信号線に接続されているものとが配置されており、有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号が線順次に出力され、有効表示領域における第ｋの期間に信号を書き込み完了する絵素は、第（ｋ−１）の期間の期間中から第ｋの期間の期間中まで、接続されているデータ信号線と導通するように選択され、有効表示領域に対する１≦ｋ≦ｎ−１の第ｋの期間のそれぞれにおいて、第ｋの期間に信号を書き込み完了する絵素に接続されていないデータ信号線には、グレーデータに対応する信号が出力されることを特徴としている。【００２５】
また、本発明の表示装置は、アクティブマトリクス型の表示装置であって、有効表示領域の各列の絵素は、絵素の一方側に隣接するデータ信号線に接続されているものと、絵素の他方側に隣接するデータ信号線に接続されているものとが配置されており、有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号が線順次に出力され、有効表示領域における第ｋの期間に信号を書き込み完了する絵素は、第（ｋ−１）の期間の期間中から第ｋの期間の期間中まで、接続されているデータ信号線と導通するように選択され、有効表示領域に対する１≦ｋ≦ｎ−１の第ｋの期間のそれぞれにおいて、第ｋの期間に信号を書き込み完了する絵素に接続されておらず、かつ第（ｋ＋１）の期間に信号を書き込み完了する絵素に接続されているデータ信号線には、第（ｋ＋１）の期間に信号を書き込み完了する絵素に第（ｋ＋１）の期間に書き込む信号に基づいて、最低輝度階調に対応する信号および最大輝度階調に対応する信号のいずれか一方の信号が出力されることを特徴としている。【００２６】
なお、本発明の表示装置の駆動方法は、以下の構成であってもよい。【００２７】
すなわち、本発明の表示装置の駆動方法は、アクティブマトリクス型の表示装置の駆動方法であって、有効表示領域の各列の絵素は、絵素の一方側に隣接するデータ信号線に接続されているものと、絵素の他方側に隣接するデータ信号線に接続されているものとが配置されており、有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号を線順次に出力し、有効表示領域における第ｋの期間に信号を書き込み完了する絵素を、第（ｋ−１）の期間の期間中から第ｋの期間の期間中まで、接続されているデータ信号線と導通するように選択し、有効表示領域に対する１≦ｋ≦ｎ−１の第ｋの期間のそれぞれにおいて、第ｋの期間に信号を書き込み完了する絵素に接続されていないデータ信号線には、グレーデータに対応する信号を出力することを特徴としている。【００２８】
また、本発明の表示装置の駆動方法は、アクティブマトリクス型の表示装置の駆動方法であって、有効表示領域の各列の絵素は、絵素の一方側に隣接するデータ信号線に接続されているものと、絵素の他方側に隣接するデータ信号線に接続されているものとが配置されており、有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号を線順次に出力し、有効表示領域における第ｋの期間に信号を書き込み完了する絵素を、第（ｋ−１）の期間の期間中から第ｋの期間の期間中まで、接続されているデータ信号線と導通するように選択し、有効表示領域に対する１≦ｋ≦ｎ−１の第ｋの期間のそれぞれにおいて、第ｋの期間に信号を書き込み完了する絵素に接続されておらず、かつ第（ｋ＋１）の期間に信号を書き込み完了する絵素に接続されているデータ信号線には、第（ｋ＋１）の期間に信号を書き込み完了する絵素に第（ｋ＋１）の期間に書き込む信号に基づいて、最低輝度階調に対応する信号および最大輝度階調に対応する信号のいずれか一方の信号を出力することを特徴としている。
【発明の効果】
【００２９】
以上のように、本発明の表示装置は、アクティブマトリクス型の表示装置であって、有効表示領域の各列の絵素は、絵素の一方側に隣接するデータ信号線に接続されているものと、絵素の他方側に隣接するデータ信号線に接続されているものとが配置されており、有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号が線順次に出力され、有効表示領域における第ｋの期間に信号を書き込み完了する絵素は、第（ｋ−１）の期間の期間中から第ｋの期間の期間中まで、接続されているデータ信号線と導通するように選択され、有効表示領域に対する１≦ｋ≦ｎ−１の第ｋの期間のそれぞれにおいて、第ｋの期間に信号を書き込み完了する絵素に接続されていないデータ信号線には、第（ｋ−１）の期間の期間中に出力されていた上記信号が出力される構成である。【００３０】
また、本発明の表示装置の駆動方法は、アクティブマトリクス型の表示装置の駆動方法であって、有効表示領域の各列の絵素は、絵素の一方側に隣接するデータ信号線に接続されているものと、絵素の他方側に隣接するデータ信号線に接続されているものとが配置されており、有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号を線順次に出力し、有効表示領域における第ｋの期間に信号を書き込み完了する絵素を、第（ｋ−１）の期間の期間中から第ｋの期間の期間中まで、接続されているデータ信号線と導通するように選択し、有効表示領域に対する１≦ｋ≦ｎ−１の第ｋの期間のそれぞれにおいて、第ｋの期間に信号を書き込み完了する絵素に接続されていないデータ信号線には、第（ｋ−１）の期間の期間中に出力されていた上記信号を出力する方法である。【００３１】
それゆえ、有効表示領域に対する１≦ｋ≦ｎ−１の第ｋの期間のそれぞれにおいて、第ｋの期間に信号を書き込み完了する絵素に接続されていないデータ信号線には、第（ｋ−１）の期間の期間中に出力されていた上記信号が出力されるので、データ信号線に対する絵素の接続が１つ前の行とで切り替わる行では、左端または右端に位置する絵素と、それ以外の絵素とで、予備充電期間のデータ信号線出力電圧の差が無くなり、その結果、液晶に充電される電位に差を無くすことができる。【００３２】
したがって、千鳥配置が設けられた表示部を備える構成において、１つ前の出力で予備充電を行いつつ、表示画面の左右端に生じるドット状のムラを解消することができるという効果を奏する。
【図面の簡単な説明】
【００３３】
【図１】本発明における表示装置の実施の一形態を示す模式図である。
【図２】上記表示装置における液晶パネルの構成を示す平面図である。
【図３】上記表示装置のタイミングコントローラにおける、上記液晶パネルに供給する映像信号を１行毎に並び替える様子を示す図である。
【図４】上記液晶パネルに１フレームの画像を表示するときの表示開始付近の各信号波形を示す波形図である。
【図５】上記液晶パネルに１フレームの画像を表示するときの表示終了付近の各信号波形を示す波形図である。
【図６】上記表示装置における液晶パネルの他の構成を示す平面図である。
【図７】上記表示装置のタイミングコントローラにおける、上記液晶パネルに供給する映像信号を１行毎に並び替える様子を示す図である。
【図８】上記液晶パネルに１フレームの画像を表示するときの表示開始付近の各信号波形を示す波形図である。
【図９】上記液晶パネルに１フレームの画像を表示するときの表示終了付近の各信号波形を示す波形図である。
【図１０】上記表示装置における液晶パネルのさらに他の構成を示す平面図である。
【図１１】従来の表示装置における液晶パネルの千鳥配置を示す平面図である。
【図１２】上記液晶パネルにおいて表示ムラが生じた様子を示す図である。
【発明を実施するための形態】
【００３４】
〔実施の形態１〕
本発明の一実施形態について図面に基づいて説明すれば、以下の通りである。
【００３５】
図１は、本実施の形態の液晶表示装置１０の一構成例を示す模式図である。図２は、液晶パネル２０の一構成例を示す平面図である。なお、図１および図２では、特徴的な部分を図示しており、その他の部分や周知の構成は適宜省略している。
【００３６】
液晶表示装置１０は、アクティブマトリクス型の表示装置であり、図１に示すように、タイミングコントローラ１１、ソースドライバ１８、ゲートドライバ１９、および液晶パネル２０を備えている。液晶表示装置１０は、例えばＴＶ用液晶モジュールとして構成されるが、これに限るものではない。
【００３７】
タイミングコントローラ１１は、液晶パネル２０への映像信号の供給を制御するものであり、映像信号受信部１２、画像処理部１３、ラインバッファ部１４、映像信号マッピング部１５、映像信号送信部１６、および、ソースドライバ／ゲートドライバ用制御信号生成部１７を備えている。
【００３８】
映像信号受信部１２は、液晶パネル２０に供給される、表示すべき画像に基づく映像信号を受信する。映像信号は、例えばＬＶＤＳ（Low Voltage Differential Signal：低電圧差動信号）伝送によって、ＣＰＵなどから送られてくるデジタル信号である。ＴＶ用液晶モジュールは、主にＬＶＤＳの規格を利用しているが、これに限るものではない。映像信号受信部１２は、受信した映像信号を画像処理部１３に出力する。
【００３９】
画像処理部１３は、入力した映像信号に対し、液晶パネル２０の表示品位を向上させる画像処理を行う。画像処理部１３は、主に、Ｏｖｅｒ−Ｄｒｉｖｅ（オーバドライブ）や、独立γ補正、ＦＲＣ（フレームレートコントロール）、Ｄｉｔｈｅｒ（ディザ）などの画像処理を行うが、これに限るものではない。画像処理部１３は、画像処理した映像信号をラインバッファ部１４に出力する。
【００４０】
ラインバッファ部１４は、液晶パネル２０に供給する映像信号と、ソースドライバ１８／ゲートドライバ１９に供給する制御信号とのタイミング調整を行うため、一時的に数ライン分、映像信号を格納する。ラインバッファ部１４は、調整後、映像信号を映像信号マッピング部１５に出力する。
【００４１】
映像信号マッピング部１５は、液晶パネル２０の絵素２３に合わせた、映像信号の並び替えを行う。つまりは、後述のように千鳥配置されているので、１つのソースバスライン２１には、左側または右側に隣接する絵素２３が接続されている。そのため、行毎に、適切なソースバスライン２１に出力が行われるように、映像信号マッピング部１５は、ソースドライバ１８に供給する映像信号の並び替えを行っている。また併せて、映像信号マッピング部１５は、映像信号送信部１６からｍｉｎｉ−ＬＶＤＳ伝送によって、１行分の映像信号を例えば６ペアずつ出力するために、この出力に応じるように、映像信号の並び替えを行っている。なお、映像信号マッピング部１５は、１行分の映像信号の並び替えの際に、ダミーデータを挿入している。これについては詳細に後述する。映像信号マッピング部１５は、並び替えた映像信号を映像信号送信部１６に出力する。また、映像信号マッピング部１５は、並び替えるべき映像信号が入力されると、これを通知する通知信号を、ソースドライバ／ゲートドライバ用制御信号生成部１７に出力する。
【００４２】
映像信号送信部１６は、入力した映像信号をソースドライバ１８に出力する。ＴＶ用液晶モジュールでは、主にｍｉｎｉ−ＬＶＤＳの規格を利用しているが、勿論これに限るものではない。
【００４３】
ソースドライバ／ゲートドライバ用制御信号生成部１７は、映像信号マッピング部１５からの通知信号に応じて、ソースドライバ制御信号およびゲートドライバ制御信号を生成する。ソースドライバ制御信号としては、ラッチ信号ＬＳ、反転信号ＲＥＶ、およびフレーム開始信号ＦＳがある。ゲートドライバ制御信号としては、ゲートクロック信号ＧＣＫ１〜ＧＣＫ４、ゲートスタートパルス信号ＧＳＰ１・ＧＳＰ２、ゲートエンドパルス信号ＧＥＰ１・ＧＥＰ２、並びに、信号ＧＣＬがある。ソースドライバ／ゲートドライバ用制御信号生成部１７は、ソースドライバ制御信号をソースドライバ１８に出力するとともに、ゲートドライバ制御信号をゲートドライバ１９に出力する。
【００４４】
ソースドライバ１８は、液晶パネル２０の絵素２３を駆動するためのデータ信号を生成・出力するドライバである。ソースドライバ１８は、液晶パネル２０に設けられたソースバスライン２１（データ信号線）に応じた出力を有するように、１または複数備えられている。ソースドライバ１８は、ラッチ信号ＬＳに基づいて、タイミングコントローラ１１から出力される映像信号をラッチし、１行分の映像信号を入力した後、各映像信号に基づくデータ信号（アナログ階調電圧信号）を生成し、１行分のデータ信号を液晶パネル２０の対応するソースバスライン２１に一斉に出力する。
【００４５】
また、ソースドライバ１８は、隣接するソースバスライン２１に対し、逆極性のデータ信号を出力するように構成されている。さらに、ソースドライバ１８は、フレーム期間内では、各ソースバスライン２１に対し、コモン電位を極性の基準とする電位極性を変えずに出力を行うとともに、１フレーム毎に切り替わる反転信号ＲＥＶに基づいて、フレーム期間毎に極性を入れ替えている。例えば、フレーム期間内では、反転信号ＲＥＶがハイレベルのとき、奇数番目のソースバスライン２１には各データ信号は正極性で出力されるとともに、偶数番目のソースバスライン２１には各データ信号は負極性で出力される。反転信号ＲＥＶがローレベルのときは、その逆極性で出力される。
【００４６】
ゲートドライバ１９は、ソースドライバ１８から出力されるデータ信号を書き込む絵素２３を選択するための走査信号を生成・出力するドライバである。ゲートドライバ１９は、液晶パネル２０に設けられたゲートバスライン２２に応じた出力を有するように、液晶パネル２０にモノリシックに作り込まれている。ゲートドライバ１９は、ゲートドライバ制御信号に応じて走査信号を生成し、液晶パネル２０の対応するゲートバスライン２２に出力する。
【００４７】
液晶パネル２０は、互いに対向する２枚の透明基板に液晶を封入してなり、電気的に液晶の配向を変化させることによって画像を表示するものである。一方の透明基板には、液晶を挟持する側の面に、図２に示すように、ソースバスライン２１、ゲートバスライン２２、および絵素２３が形成されている。なお、図２では、液晶パネル２０における、７６８×１３６６画素（２×２の絵素２３で１画素２４）で構成されている有効表示領域を主に示している。
【００４８】
ソースバスライン２１は、垂直方向に延設するように、絵素２３の列数＋１本（図２では２７７３本：ソースバスラインＳ１〜Ｓ２７７３）形成されており、一方の端はソースドライバ１８に接続されている。
【００４９】
ゲートバスライン２２は、水平方向に延設するように、絵素２３の行数＋α本（図２では１５３６本＋４本）形成されており、一方の端はゲートドライバ１９に接続されている。ゲートバスライン２２には、有効表示領域に位置する絵素２３（表示に関与する絵素）に対応して接続されるゲートバスラインＧ１〜Ｇ１５３６と、図示しない非表示領域に位置する絵素２３（表示に関与しない絵素）に対応して接続されるゲートバスラインＧＤ０〜ＧＤ３とがある。図２に示す平面視において、上から、ゲートバスラインＧＤ０・ＧＤ１、ゲートバスラインＧ１〜Ｇ１５３６、ゲートバスラインＧＤ２・ＧＤ３の順番に配置されている。
【００５０】
絵素２３は、マトリクス状に複数（有効表示領域に１５３６×２７７２個。非表示領域に４×２７７２個。）形成されている。絵素２３は、ゲートバスライン２２に接続された例えばＴＦＴ（図示せず）を介して、ソースバスライン２１に接続されている。
【００５１】
具体的には、各行の絵素２３のＴＦＴのゲート端子は、対応するゲートバスライン２２に共通して接続されている。各列の絵素２３のＴＦＴのソース端子は、左右に隣り合うソースバスライン２１に対して２個ずつ交互に接続されている。例えば、有効表示領域の１行目および２行目の各絵素２３は、左側に隣接するソースバスライン２１に接続されている。３行目および４行目の各絵素２３は、右側に隣接するソースバスライン２１に接続されている。
【００５２】
よって、各列の絵素２３は、絵素２３の一方側（左側）に隣接するソースバスライン２１に接続されているものと、絵素２３の他方側（右側）に隣接するソースバスライン２１に接続されているものとが、２個ずつ交互に配置されている。つまりは、液晶パネル２０は千鳥配置の構成を有している。
【００５３】
また、絵素２３は、図２に示す有効表示領域と、図示しない非表示領域とに配置されている。有効表示領域に位置する絵素２３は、ゲートバスラインＧ１〜Ｇ１５３６によって走査される。非表示領域に位置する絵素２３は、ゲートバスラインＧＤ０〜ＧＤ３によって走査される。非表示領域に位置する絵素２３は、図２に示す平面視において、１番上に２行、１番下に２行形成されている。１番上の２行の絵素は、右側に隣接するソースバスライン２１に接続されている。１番下の２行の絵素は、左側に隣接するソースバスライン２１に接続されている。
【００５４】
液晶パネル２０における他方の透明基板には、液晶を挟持する側の面に、カラーフィルタ、および、共通の電圧が印加される共通電極が、この順に積層されて形成されている。カラーフィルタは、４つの絵素２３を１単位として、左上の絵素２３にＲ（赤）、右上の絵素２３にＧ（緑）、左下の絵素２３にＢ（青）、右下の絵素２３にＹ（黄）が対応して位置するように配置されている。これにより、液晶パネル２０では、垂直および水平方向に隣接する２×２個の絵素２３で、ＲＧＢＹの１画素２４が構成されている。
【００５５】
次に、上記構成を有する液晶表示装置１０の駆動方法について説明する。
【００５６】
図３は、タイミングコントローラ１１の映像信号マッピング部１５による、液晶パネル２０に供給する映像信号を１行毎に並び替える様子を示す図である。図４は、液晶パネル２０に１フレームの画像を表示するときの表示開始付近の各信号波形を示す波形図である。図５は、液晶パネル２０に１フレームの画像を表示するときの表示終了付近の各信号波形を示す波形図である。
【００５７】
液晶表示装置１０では、千鳥配置された絵素マトリクスとソースバスライン反転駆動とを組み合わせることにより擬似的なドット反転駆動が行われる。すなわち、ソースドライバ１８は、フレーム期間内において、極性が不変で、かつ、隣接するソースバスライン２１に対し逆極性の出力を行うとともに、液晶パネル２０は千鳥配置されていることから、実質的にドット反転駆動を行っていることとなる。さらに、水平期間中にその行の全ての絵素２３を所望の電位に到達させるために、その１つ前の水平期間中にソースバスライン２１に出力されているデータ信号、すなわち１つ前の出力を用いて予備充電を行っている。
【００５８】
表示を開始する際、ＬＶＤＳ伝送のクロック信号ＬＶＤＳ＿ＣＬＫに基づいて、画素単位で１行分の映像信号がタイミングコントローラ１１に供給される。タイミングコントローラ１１は、期間ｔＨＢを挟みながら、期間ｔＨＡの間、１行目の画素２４の映像信号（Ｒ１・Ｇ１・Ｂ１）から、７６８行目の画素２４の映像信号（Ｒ７６８・Ｇ７６８・Ｂ７６８）までを順次入力する。
【００５９】
始めに、画像表示の開始（１フレーム期間の開始）から、１行目の画素２４の映像信号（Ｒ１・Ｇ１・Ｂ１）に基づくデータ信号を、液晶パネル２０の絵素２３に印加するまでの一連の動作について説明する。
【００６０】
タイミングコントローラ１１に供給された上記映像信号は、映像信号受信部１２により受信され、画像処理部１３により画像処理が行われた後、ラインバッファ部１４で一時的に保持されて、映像信号マッピング部１５に入力される。
【００６１】
映像信号マッピング部１５は、１行目の画素２４の映像信号が入力されると、１行目の画素２４、すなわち有効表示領域の１行目および２行目の絵素２３に供給するため映像信号を生成する前に、プリチャージ用データを生成する。プリチャージ用データは、全てのソースバスライン２１から出力が行われるようなデータであり、予め設定された階調に応じて生成される。また、このプリチャージ用データは、非表示領域の１行目および２行目の絵素２３に書き込むためのデータでもある。
【００６２】
映像信号マッピング部１５は、非表示領域の１行目の絵素２３に供給するデータとして、例えば１２８階調のＲ・Ｇに対応するベタデータを生成し、６ペアづつに並び替えて、映像信号送信部１６に出力する。続いて、映像信号マッピング部１５は、非表示領域の２行目の絵素２３に供給するデータとして、例えば１２８階調のＢ・Ｙに対応するベタデータを生成し、６ペアづつに並び替えて、映像信号送信部１６に出力する。
【００６３】
これにより、映像信号送信部１６から、１２８階調のＲ・Ｇに対応するベタデータ、１２８階調のＢ・Ｙに対応するベタデータがソースドライバ１８に順次出力される。なお、映像信号送信部１６は、全てのソースバスライン２１に対するデータを６ペア毎に出力するので、１行分のデータは４５６回出力動作を繰り返して出力される。
【００６４】
続いて、映像信号マッピング部１５は、入力された１行目の画素２４の映像信号から、図２に示す１行目のＲ・Ｇに対応する絵素２３に供給するための映像信号を、図３のｎ＿Ｌｉｎｅに示すように６ペアずつになるように並び替える。このとき、映像信号マッピング部１５は、映像信号を並べ替えるとともに、一番最後、すなわちＧ１３６６の絵素２３に供給するための映像信号の後ろに、ダミーデータを挿入する。
【００６５】
上記ダミーデータとしては、１つ前の行の並び替えデータの、同じ出力位置にあるデータを用いる。すなわち、この場合、ダミーデータとしては、プリチャージ用データとして生成した１２８階調のＢ・Ｙに対応するデータを並び替えたときの、４５６回目の出力時にデータバスＬＶ２Ｐ／Ｍから出力したデータ（１２８階調のＹに対応するデータ）を用いる。換言すれば、１つ前の行のソースバスラインＳ２７７３の出力に対応するデータを用いることになる。
【００６６】
そして、映像信号マッピング部１５は、このように並び替えてダミーデータを挿入した映像信号を、映像信号送信部１６に出力する。これにより、映像信号送信部１６から、１行目の映像信号がソースドライバ１８に出力される。
【００６７】
続いて、映像信号マッピング部１５は、入力された１行目の画素２４の映像信号から、図２に示す２行目のＢ・Ｙに対応する絵素２３に供給するための映像信号を、図３のｎ＋１＿Ｌｉｎｅに示すように６ペアずつになるように並び替える。このとき、映像信号マッピング部１５は、映像信号を並べ替えるとともに、一番最後、すなわちＹ１３６６の絵素２３に供給するための映像信号の後ろに、ダミーデータを挿入する。
【００６８】
上記ダミーデータとしては、１つ前の行の並び替えデータの、同じ出力位置にあるデータを用いる。すなわち、この場合、ダミーデータとしては、１つ前の行である１行目の映像信号を並び替えたときの、４５６回目の出力時にデータバスＬＶ２Ｐ／Ｍから出力したデータ（１２８階調のＹに対応するデータ）を用いる。
【００６９】
そして、映像信号マッピング部１５は、このように並び替えてダミーデータを挿入した映像信号を、映像信号送信部１６に出力する。これにより、映像信号送信部１６から、２行目の映像信号がソースドライバ１８に出力される。
【００７０】
一方、映像信号マッピング部１５は、１行目の画素２４の映像信号が入力されると、通知信号をソースドライバ／ゲートドライバ用制御信号生成部１７に出力している。ソースドライバ／ゲートドライバ用制御信号生成部１７は、この通知信号に基づいて、フレーム開始信号ＦＳ、次いで反転信号ＲＥＶをソースドライバ１８に出力する。また、ソースドライバ／ゲートドライバ用制御信号生成部１７は、ゲートスタートパルスＧＳＰ１・ＧＳＰ２をゲートドライバ１９に出力する。これらソースドライバ／ゲートドライバ用制御信号生成部１７からの出力は、映像信号送信部１６から１２８階調のＲ・Ｇに対応するベタデータが出力される前に行われる。
【００７１】
なお、ソースドライバ／ゲートドライバ用制御信号生成部１７は、ラッチ信号ＬＳを水平期間毎にソースドライバ１８に出力するとともに、ゲートクロック信号ＧＣＫ１〜ＧＣＫ４をゲートドライバ１９に出力している。ゲートクロック信号ＧＣＫ１〜ＧＣＫ４は４相になっており、互いに逆相のゲートクロック信号ＧＣＫ３・ＧＣＫ４は、互いに逆相のゲートクロック信号ＧＣＫ１・ＧＣＫ２に対して、１水平期間分遅延している。
【００７２】
ソースドライバ１８では、ラッチ信号ＬＳに基づいて、タイミングコントローラ１１の映像信号送信部１６から出力される映像信号が入力される。そして、１行分の映像信号が入力された後、各映像信号に応じたデータ信号が生成され、１行分のデータ信号が液晶パネル２０のソースバスライン２１に一斉に出力される。
【００７３】
非表示領域の１行目および２行目の絵素２３に対する出力では、ソースバスラインＳ１〜Ｓ２７７３に、上記ベタデータに基づくデータ信号が出力される。有効表示領域の１行目および２行目の絵素２３に対する出力では、ソースバスラインＳ１〜Ｓ２７７２には、上記映像信号に基づくデータ信号が出力され、ソースバスラインＳ２７７３には、ダミーデータに基づくデータ信号が出力される。
【００７４】
また、上記線順次での出力では、反転信号ＲＥＶに基づいて、例えば、奇数番目のソースバスラインＳ１，Ｓ３，…，Ｓ２７７３には、正極性のデータ信号が出力され、偶数番目のソースバスラインＳ２，Ｓ４，…，Ｓ２７７２には、負極性のデータ信号が出力される。なお、１フレーム毎に、反転信号ＲＥＶに基づいて正極性と負極性とは入れ替わる。
【００７５】
ゲートドライバ１９では、ゲートスタートパルスＧＳＰ１・ＧＳＰ２に基づいて、ゲートバスライン２２の走査が開始されている。各ゲートバスライン２２に出力される走査信号は、ゲートクロック信号ＧＣＫ１〜ＧＣＫ４に同期して生成され、出力期間のうち後半が、対応するデータ信号を絵素２３に書き込む１水平期間となるように出力される。
【００７６】
まず、ゲートバスラインＧＤ０に走査信号が出力される。これにより、ゲートバスラインＧＤ０に接続されている絵素２３、すなわち非表示領域の１行目の絵素２３に、出力期間の前半はブランキングデータが書き込まれ、出力期間の後半は１２８階調のＲ・Ｇに対応するベタデータに基づくデータ信号が書き込まれる。
【００７７】
続いて、ゲートバスラインＧＤ０に走査信号が出力されてから１水平期間後に、ゲートバスラインＧＤ１に走査信号が出力される。これにより、ゲートバスラインＧＤ１に接続されている絵素２３、すなわち非表示領域の２行目の絵素２３に、出力期間の前半は１２８階調のＲ・Ｇに対応するベタデータに基づくデータ信号が書き込まれ、出力期間の後半は１２８階調のＢ・Ｙに対応するベタデータに基づくデータ信号が書き込まれる。
【００７８】
続いて、ゲートバスラインＧＤ１に走査信号が出力されてから１水平期間後に、ゲートバスラインＧ１に走査信号が出力される。これにより、ゲートバスラインＧ１に接続されている絵素２３、すなわち有効表示領域の１行目の絵素２３に、出力期間の前半は１２８階調のＢ・Ｙに対応するベタデータに基づくデータ信号が書き込まれ、出力期間の後半は１行目のデータ信号が書き込まれる。
【００７９】
続いて、ゲートバスラインＧ１に走査信号が出力されてから１水平期間後に、ゲートバスラインＧ２に走査信号が出力される。これにより、ゲートバスラインＧ２に接続されている絵素２３、すなわち有効表示領域の２行目の絵素２３に、出力期間の前半は１行目のデータ信号が書き込まれ、出力期間の後半は２行目のデータ信号が書き込まれる。
【００８０】
このように、走査信号は、１つ前のゲートバスライン２２に出力される走査信号の出力期間と重なって出力される。すなわち、ある水平期間中に出力される走査信号は、１つ前の水平期間中から出力されている。これにより、ｎ＋１行目の絵素２３は、１つ前のｎ行目の絵素２３に書き込むデータ信号によって予備充電された後、本充電されることになる。よって、本充電時間が短い場合であっても、書き込むべきデータ信号の電位に十分に到達することが可能となる。
【００８１】
次いで、２行目の画素２４の映像信号（Ｒ２・Ｇ２・Ｂ２）の入力以降の動作について説明する。
【００８２】
タイミングコントローラ１１の動作に戻ると、映像信号マッピング部１５は、入力された２行目の画素２４の映像信号から、図２に示す３行目のＲ・Ｇに対応する絵素２３に供給するための映像信号を、図３のｎ＋２＿Ｌｉｎｅに示すように６ペアずつになるように並び替える。このとき、映像信号マッピング部１５は、映像信号を並べ替えるとともに、一番最初、すなわちＲ０００１の絵素２３に供給するための映像信号の前に、ダミーデータを挿入する。
【００８３】
上記ダミーデータとしては、１つ前の行の並び替えデータの、同じ出力位置にあるデータを用いる。すなわち、この場合、ダミーデータとしては、１つ前の行である２行目の映像信号を並び替えたときの、１回目の出力時にデータバスＬＶ０Ｐ／Ｍから出力したデータ（Ｂ０００１に対応するデータ）を用いる。
【００８４】
そして、映像信号マッピング部１５は、このように並び替えてダミーデータを挿入した映像信号を、映像信号送信部１６に出力する。これにより、映像信号送信部１６から、３行目の映像信号がソースドライバ１８に出力される。
【００８５】
続いて、映像信号マッピング部１５は、入力された２行目の画素２４の映像信号から、図２に示す４行目のＢ・Ｙに対応する絵素２３に供給するための映像信号を、図３のｎ＋３＿Ｌｉｎｅに示すように６ペアずつになるように並び替える。このとき、映像信号マッピング部１５は、映像信号を並べ替えるとともに、一番最初、すなわちＢ０００１の絵素２３に供給するための映像信号の前に、ダミーデータを挿入する。
【００８６】
上記ダミーデータとしては、１つ前の行の並び替えデータの、同じ出力位置にあるデータを用いる。すなわち、この場合、ダミーデータとしては、１つ前の行である３行目の映像信号を並び替えたときの、１回目の出力時にデータバスＬＶ０Ｐ／Ｍから出力したデータ（Ｂ０００１に対応するデータ）を用いる。
【００８７】
そして、映像信号マッピング部１５は、このように並び替えてダミーデータを挿入した映像信号を、映像信号送信部１６に出力する。これにより、映像信号送信部１６から、４行目の映像信号がソースドライバ１８に出力される。
【００８８】
このように、映像信号マッピング部１５は、３行目の画素２４の映像信号の入力以降も同様に、７６８行目の画素２４の映像信号まで、図３に示すように、映像信号を並び替えるとともに、その映像信号を供給する行に応じて一番最初または一番最後に、１つ前の行から持ってきたダミーデータを挿入する動作を、行毎に繰り返す。
【００８９】
具体的には、１行目および２行目のように、絵素２３が左側に隣接するソースバスライン２１に接続される行（左端に位置する絵素２３が、左端のソースバスラインＳ１に接続されるとともに、右端に位置する絵素２３が、右端の１つ隣のソースバスラインＳ２７７２に接続される行）の場合は、並び替えデータの一番最後に、１つ前の行から持ってきたダミーデータを挿入する。
【００９０】
また、３行目および４行目のように、絵素２３が右側に隣接するソースバスライン２１に接続されている行（左端に位置する絵素２３が、左端の１つ隣のソースバスラインＳ２に接続されるとともに、右端に位置する絵素２３が、右端のソースバスラインＳ２７７３に接続される行）の場合は、並び替えデータの一番最初に、１つ前の行から持ってきたダミーデータを挿入する。
【００９１】
ソースドライバ１８では、ラッチ信号ＬＳに基づいて、タイミングコントローラ１１の映像信号送信部１６から出力される映像信号が入力される。そして、１行分の映像信号が入力された後、各映像信号に応じたデータ信号が生成され、１行分のデータ信号が液晶パネル２０のソースバスライン２１に一斉に出力される。
【００９２】
３行目および４行目の絵素２３に対する出力では、ソースバスラインＳ１には、ダミーデータに基づくデータ信号が出力され、ソースバスラインＳ２〜Ｓ２７７３には、上記映像信号に基づくデータ信号が出力される。
【００９３】
続いて、５行目および６行目の絵素２３に対する出力では、ソースバスラインＳ１〜Ｓ２７７２には、上記映像信号に基づくデータ信号が出力され、ソースバスラインＳ２７７３には、ダミーデータに基づくデータ信号が出力される。
【００９４】
このようにして、１５３６行目の絵素２３に対する出力まで同様に、左側に隣接するソースバスライン２１に接続されている絵素２３の行に対する出力では、ソースバスラインＳ１〜Ｓ２７７２には、上記映像信号に基づくデータ信号が出力され、ソースバスラインＳ２７７３には、ダミーデータに基づくデータ信号が出力される。また、右側に隣接するソースバスライン２１に接続されている絵素２３の行に対する出力では、ソースバスラインＳ１には、ダミーデータに基づくデータ信号が出力され、ソースバスラインＳ２〜Ｓ２７７３には、上記映像信号に基づくデータ信号が出力される。
【００９５】
ゲートドライバ１９では、ゲートバスラインＧ２に走査信号が出力されてから１水平期間後に、ゲートバスラインＧ３に走査信号が出力される。これにより、ゲートバスラインＧ３に接続されている絵素２３、すなわち３行目の絵素２３に、出力期間の前半は２行目のデータ信号が書き込まれ、出力期間の後半は３行目のデータ信号が書き込まれる。
【００９６】
続いて、ゲートバスラインＧ３に走査信号が出力されてから１水平期間後に、ゲートバスラインＧ４に走査信号が出力される。これにより、ゲートバスラインＧ４に接続されている絵素２３、すなわち４行目の絵素２３に、出力期間の前半は３行目のデータ信号が書き込まれ、出力期間の後半は４行目のデータ信号が書き込まれる。
【００９７】
このようにして、１５３６行目の絵素２３に対する出力まで同様に、ゲートバスラインＧ５〜Ｇ１５３６に走査信号が順次出力されて、各行の絵素２３は、出力期間の前半で１つ前の出力によって予備充電され、出力期間の後半で本充電される。最後に、ゲートバスラインＧＤ２・ＧＤ３に走査信号が出力され、一番下に位置する非表示領域の絵素２３に、ブランキングデータが書き込まれる。
【００９８】
これにより、１フレームの駆動が終了し（ブランキング期間に移行し）、液晶パネル２０に１フレームの画像が表示され得る。液晶表示装置１０では、ソースドライバ１８は、フレーム期間内において、極性が不変で、かつ、隣接するソースバスライン２１に対し逆極性の出力を行うとともに、液晶パネル２０は千鳥配置されていることから、実質的にドット反転駆動を行うことが可能となっている。
【００９９】
ここで、ソースドライバ１８が、例えば２行目の絵素２３に対する出力を行っているとき、ソースバスラインＳ２７７３にはダミーデータに基づくデータ信号が出力されている。従来、このときのソースバスラインＳ２７７３は、絵素２３に接続されていないため空の状態、すなわち非表示エリアとみなし最低階調電圧（例えばノーマリーブラックの場合に黒電圧）としていた。このため、ソースバスライン２１に対する絵素２３の接続が１つ前の行とで切り替わる３行目では、右端の絵素２３は予備充電されず、３行目の絵素２３にデータ信号を書き込む水平期間中に、十分に所望の電位に到達させることができない事態が生じていた。
【０１００】
これに対し、液晶表示装置１０では、上述のように、ソースバスラインＳ２７７３には、１つ前の行から持ってきたダミーデータに基づくデータ信号が出力されているので、このデータ信号で予備充電を行うことにより、右端の絵素２３を十分に所望の電位に到達させることが可能となっている。
【０１０１】
このように、液晶表示装置１０では、各水平期間において、当該水平期間にデータ信号を書き込む絵素２３に接続されていないソースバスラインＳ１またはＳ２７７３には、１つ前の水平期間中に出力されていたデータ信号が出力される。よって、奇数番目の行、すなわちソースバスライン２１に対する絵素２３の接続が１つ前の行とで切り替わる行では、左右端に位置する絵素２３と、それ以外の絵素２３とで、予備充電期間のソース出力電圧の差が無くなり、その結果、液晶に充電される電位に差を無くすことが可能となる。
【０１０２】
したがって、絵素２３が千鳥配置されている液晶パネル２０であっても、１つ前の行の出力で予備充電を行いつつ、表示画面の左右端に生じるドット状のムラを解消することが可能となる。
【０１０３】
以上、実施の形態１について説明したが、必ずしも千鳥配置になっている必要はない。非表示領域の絵素およびゲートバスラインは必ずしもなくてよい。また、本充電のために絵素を選択する順序は、必ずしも行が配置されている順序でなくてもよく、絵素の行を飛び飛びに選択する飛び越し走査を行ってもよい。
【０１０４】
液晶表示装置１０は、有効表示領域の各列の絵素２３は、絵素２３の一方側に隣接するソースバスライン２１に接続されているものと、絵素２３の他方側に隣接するソースバスライン２１に接続されているものとが配置されており、有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各ソースバスライン２１には、コモン電位を極性の基準とする電位極性が不変で、かつ、隣接するソースバスライン２１に出力される信号とは逆極性の電位極性である信号が線順次に出力され、有効表示領域における第ｋの期間に信号を書き込み完了する絵素２３は、第（ｋ−１）の期間の期間中から第ｋの期間の期間中まで、接続されているソースバスライン２１と導通するように選択され、有効表示領域に対する１≦ｋ≦ｎ−１の第ｋの期間のそれぞれにおいて、第ｋの期間に信号を書き込み完了する絵素２３に接続されていないソースバスライン２１には、第（ｋ−１）の期間の期間中に出力されていた上記信号が出力される構成を備えていればよい。
【０１０５】
なお、以下では、各実施形態において説明すること以外の構成は、実施の形態１と同じである。また、説明の便宜上、実施の形態１の図面に示した部材と同一の機能を有する部材については、同一の符号を付し、その説明を省略する。
【０１０６】
〔実施の形態２〕
上述した液晶表示装置１０において、液晶パネル２０は、図２に示した構成を有するものに限らず、画素２４を構成する絵素２３の配置や、千鳥配置において各列の絵素２３を何個ずつ左右に隣接するソースバスライン２１に接続するかは、設計に応じて適宜変更可能であり、例えば図６に示すような液晶パネル３０を備えてもよい。
【０１０７】
図６は、液晶パネル３０の一構成例を示す平面図である。なお、図６は、液晶パネル３０の有効表示領域が７６８×１３６６画素で構成されている場合を示している。また、図６では、特徴的な部分を図示しており、その他の部分や周知の構成は適宜省略している。
【０１０８】
液晶パネル３０は、前記実施の形態１の液晶パネル２０と比較して、図６に示すように、１画素３４を構成する絵素３３の配置が異なる。絵素３３は、行単位では対応するゲートバスライン２２に共通して接続されており、列単位では、左右に隣り合うソースバスライン２１に対して１個ずつ交互に接続されている。すなわち、液晶パネル３０は、千鳥配置の構成を有している。
【０１０９】
カラーフィルタは、３つの絵素３３を１単位として、上段の絵素３３にＲ、中段の絵素３３にＧ、下段の絵素３３にＢが対応して位置するように配置されている。これにより、液晶パネル３０では、垂直方向に隣接する３個の絵素３３で、ＲＧＢの１画素３４が構成されている。
【０１１０】
次に、上記液晶パネル３０を有する液晶表示装置１０の駆動方法について説明する。
【０１１１】
図７は、タイミングコントローラ１１の映像信号マッピング部１５による、液晶パネル３０に供給する映像信号を１行毎に並び替える様子を示す図である。図８は、液晶パネル３０に１フレームの画像を表示するときの表示開始付近の各信号波形を示す波形図である。図９は、液晶パネル３０に１フレームの画像を表示するときの表示終了付近の各信号波形を示す波形図である。
【０１１２】
基本的な動作、すなわち、１行目の画素３４の映像信号（Ｒ１・Ｇ１・Ｂ１）から７６８行目の画素３４の映像信号（Ｒ７６８・Ｇ７６８・Ｂ７６８）までがタイミングコントローラ１１に順次入力され、液晶パネル３０の絵素３３に、上記映像信号に基づくデータ信号が線順次で印加されるまでの一連の動作は、前記実施の形態１で説明した動作と同じである。
【０１１３】
注目すべき点は、タイミングコントローラ１１の映像信号マッピング部１５による映像信号の並び替えである。つまりは、液晶パネル３０では、各列の絵素３３は、左右に隣り合うソースバスライン２１に対して１個ずつ交互に接続されている。それゆえ、映像信号マッピング部１５は、図６に示すように、映像信号を並び替えるとともに、一番最初または一番最後に１つ前の行から持ってきたダミーデータを挿入する動作を、行毎に繰り返す。
【０１１４】
これにより、液晶表示装置１０では、各水平期間において、当該水平期間にデータ信号を書き込む絵素２３に接続されていないソースバスラインＳ１またはＳ２７７３には、１つ前の水平期間中に出力されていたデータ信号が出力される。よって、各行、すなわちソースバスライン２１に対する絵素３３の接続が１つ前の行とで切り替わる行では、左右端に位置する絵素３３と、それ以外の絵素３３とで、予備充電期間のソース出力電圧の差が無くなり、その結果、液晶に充電される電位に差を無くすことが可能となる。
【０１１５】
したがって、絵素３３が千鳥配置されている液晶パネル３０であっても、１つ前の行の出力で予備充電を行いつつ、表示画面の左右端に生じるドット状のムラを解消することが可能となる。
【０１１６】
〔実施の形態３〕
上述した液晶表示装置１０は、例えば図１０に示すような液晶パネル３０を備えてもよい。図１０は、液晶パネル４０の一構成例を示す平面図である。なお、図１０は、液晶パネル４０の有効表示領域が７６８×１３６６画素で構成されている場合を示している。また、図１０では、特徴的な部分を図示しており、その他の部分や周知の構成は適宜省略している。
【０１１７】
液晶パネル４０は、前記実施の形態２の液晶パネル３０と比較して、図１０に示すように、１画素３４を構成する絵素４３の配置が異なる。カラーフィルタは、３つの絵素４３を１単位として、左側の絵素４３にＲ、真ん中の絵素４３にＧ、右側の絵素４３にＢが対応して位置するように配置されている。これにより、液晶パネル４０では、水平方向に隣接する３個の絵素４３で、ＲＧＢの１画素４４が構成されている。
【０１１８】
上記液晶パネル４０を有する液晶表示装置１０では、前記実施の形態２の液晶パネル３０を有する液晶表示装置１０と同様に駆動されることによって、１つ前の行の出力で予備充電を行いつつ、表示画面の左右端に生じるドット状のムラを解消することが可能となる。
【０１１９】
〔実施の形態４〕
上述した液晶表示装置１０では、タイミングコントローラ１１の映像信号マッピング部１５による映像信号の並び替えの際、１つ前の行から持ってきたダミーデータを挿入している。これにより、各水平期間において、当該水平期間にデータ信号を書き込む絵素２３に接続されていないソースバスラインＳ１またはＳ２７７３には、１つ前の水平期間中に出力されていたデータ信号が出力される。
【０１２０】
しかし、ダミーデータとしては、これに限るものではない。つまりは、表示ムラは、液晶に充電される到達電位に差が生じることで発生する。よって、予備充電という観点から見れば、ダミーデータとしては、本充電用のデータに近い同極性のデータであればよい。
【０１２１】
例えば、ダミーデータとして、グレーデータ（各色で中間調）を用いることができる。この場合、映像信号マッピング部１５は、映像信号の並び替えの際、例えば予め格納されているグレーデータを、ダミーデータとして挿入すればよい。
【０１２２】
また、ダミーデータとしては、黒電圧（最低輝度階調に対応する信号）および白電圧（最大輝度階調に対応する信号）のうち、本充電の目標電位に近い方を用いることも可能であり、これを供給することによって早く充電することができる。この場合、コントロール基板のフレームメモリの中に、後に表示するデータを早めに貯めておいて、それを参照しながら予備充電用の信号電位を黒電圧か白電圧かに決定する、という方法をとることが可能である。
【０１２３】
つまりは、有効表示領域に対する１≦ｋ≦ｎ−１の第ｋの期間のそれぞれにおいて、第ｋの期間に信号を書き込み完了する絵素に接続されておらず、かつ第（ｋ＋１）の期間に信号を書き込み完了する絵素に接続されているソースバスライン２１には、第（ｋ＋１）の期間に信号を書き込み完了する絵素に第（ｋ＋１）の期間に書き込む信号に基づいて、最低輝度階調に対応する信号および最大輝度階調に対応する信号のいずれか一方の信号が出力される、という構成でもよい。
【０１２４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１２５】
本発明の表示装置は、アクティブマトリクス型の表示装置であって、有効表示領域の各列の絵素は、絵素の一方側に隣接するデータ信号線に接続されているものと、絵素の他方側に隣接するデータ信号線に接続されているものとが配置されており、有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号が線順次に出力され、有効表示領域における第ｋの期間に信号を書き込み完了する絵素は、第（ｋ−１）の期間の期間中から第ｋの期間の期間中まで、接続されているデータ信号線と導通するように選択され、有効表示領域に対する１≦ｋ≦ｎ−１の第ｋの期間のそれぞれにおいて、第ｋの期間に信号を書き込み完了する絵素に接続されていないデータ信号線には、第（ｋ−１）の期間の期間中に出力されていた上記信号が出力される構成を有する。
【０１２６】
また、本発明の表示装置は、アクティブマトリクス型の表示装置であって、有効表示領域の各列の絵素は、絵素の一方側に隣接するデータ信号線に接続されているものと、絵素の他方側に隣接するデータ信号線に接続されているものとが配置されており、有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号が線順次に出力され、有効表示領域における第ｋの期間に信号を書き込み完了する絵素は、第（ｋ−１）の期間の期間中から第ｋの期間の期間中まで、接続されているデータ信号線と導通するように選択され、有効表示領域に対する１≦ｋ≦ｎ−１の第ｋの期間のそれぞれにおいて、第ｋの期間に信号を書き込み完了する絵素に接続されていないデータ信号線には、グレーデータに対応する信号が出力される構成であってもよい。
【０１２７】
また、本発明の表示装置は、アクティブマトリクス型の表示装置であって、有効表示領域の各列の絵素は、絵素の一方側に隣接するデータ信号線に接続されているものと、絵素の他方側に隣接するデータ信号線に接続されているものとが配置されており、有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号が線順次に出力され、有効表示領域における第ｋの期間に信号を書き込み完了する絵素は、第（ｋ−１）の期間の期間中から第ｋの期間の期間中まで、接続されているデータ信号線と導通するように選択され、有効表示領域に対する１≦ｋ≦ｎ−１の第ｋの期間のそれぞれにおいて、第ｋの期間に信号を書き込み完了する絵素に接続されておらず、かつ第（ｋ＋１）の期間に信号を書き込み完了する絵素に接続されているデータ信号線には、第（ｋ＋１）の期間に信号を書き込み完了する絵素に第（ｋ＋１）の期間に書き込む信号に基づいて、最低輝度階調に対応する信号および最大輝度階調に対応する信号のいずれか一方の信号が出力される構成であってもよい。
【０１２８】
さらに、本発明の表示装置は、上記有効表示領域の各絵素は、垂直および水平方向に互いに隣接する２×２個の、Ｒ・Ｇ・Ｂ・Ｙにそれぞれ対応する絵素を１画素として、マトリクス状に配列されており、上記有効表示領域の各列の絵素は、絵素の一方側に隣接するデータ信号線に接続されているものと、絵素の他方側に隣接するデータ信号線に接続されているものとが、２個ずつ交互に配置されていることが好ましい。
【０１２９】
また、本発明の表示装置は、上記有効表示領域の各絵素は、垂直または水平方向に隣接する３個の、Ｒ・Ｇ・Ｂにそれぞれ対応する絵素を１画素として、マトリクス状に配列されており、上記有効表示領域の各列の絵素は、絵素の一方側に隣接するデータ信号線に接続されているものと、絵素の他方側に隣接するデータ信号線に接続されているものとが、１個ずつ交互に配置されていることが好ましい。
【０１３０】
本発明の表示装置の駆動方法は、アクティブマトリクス型の表示装置の駆動方法であって、有効表示領域の各列の絵素は、絵素の一方側に隣接するデータ信号線に接続されているものと、絵素の他方側に隣接するデータ信号線に接続されているものとが配置されており、有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号を線順次に出力し、有効表示領域における第ｋの期間に信号を書き込み完了する絵素を、第（ｋ−１）の期間の期間中から第ｋの期間の期間中まで、接続されているデータ信号線と導通するように選択し、有効表示領域に対する１≦ｋ≦ｎ−１の第ｋの期間のそれぞれにおいて、第ｋの期間に信号を書き込み完了する絵素に接続されていないデータ信号線には、第（ｋ−１）の期間の期間中に出力されていた上記信号を出力する構成を有する。
【０１３１】
また、本発明の表示装置の駆動方法は、アクティブマトリクス型の表示装置の駆動方法であって、有効表示領域の各列の絵素は、絵素の一方側に隣接するデータ信号線に接続されているものと、絵素の他方側に隣接するデータ信号線に接続されているものとが配置されており、有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号を線順次に出力し、有効表示領域における第ｋの期間に信号を書き込み完了する絵素を、第（ｋ−１）の期間の期間中から第ｋの期間の期間中まで、接続されているデータ信号線と導通するように選択し、有効表示領域に対する１≦ｋ≦ｎ−１の第ｋの期間のそれぞれにおいて、第ｋの期間に信号を書き込み完了する絵素に接続されていないデータ信号線には、グレーデータに対応する信号を出力する構成であってもよい。
【０１３２】
また、本発明の表示装置の駆動方法は、アクティブマトリクス型の表示装置の駆動方法であって、有効表示領域の各列の絵素は、絵素の一方側に隣接するデータ信号線に接続されているものと、絵素の他方側に隣接するデータ信号線に接続されているものとが配置されており、有効表示領域の最初に信号を書き込み完了する水平期間である第１の期間の直前の１水平期間分に相当する長さを有する期間を第０の期間として、第０の期間から有効表示領域の最後に信号を書き込み完了する水平期間である第ｎの期間（ｎは整数）までの、ｋの順に連続する第ｋの期間（ｋは０からｎまでの整数）の各期間中に、各データ信号線には、コモン電位を極性の基準とする電位極性が不変で、かつ、隣接するデータ信号線に出力される信号とは逆極性の電位極性である信号を線順次に出力し、有効表示領域における第ｋの期間に信号を書き込み完了する絵素を、第（ｋ−１）の期間の期間中から第ｋの期間の期間中まで、接続されているデータ信号線と導通するように選択し、有効表示領域に対する１≦ｋ≦ｎ−１の第ｋの期間のそれぞれにおいて、第ｋの期間に信号を書き込み完了する絵素に接続されておらず、かつ第（ｋ＋１）の期間に信号を書き込み完了する絵素に接続されているデータ信号線には、第（ｋ＋１）の期間に信号を書き込み完了する絵素に第（ｋ＋１）の期間に書き込む信号に基づいて、最低輝度階調に対応する信号および最大輝度階調に対応する信号のいずれか一方の信号を出力する構成であってもよい。
【０１３３】
さらに、本発明の表示装置の駆動方法は、上記有効表示領域の各絵素は、垂直および水平方向に互いに隣接する２×２個の、Ｒ・Ｇ・Ｂ・Ｙにそれぞれ対応する絵素を１画素として、マトリクス状に配列されており、上記有効表示領域の各列の絵素は、絵素の一方側に隣接するデータ信号線に接続されているものと、絵素の他方側に隣接するデータ信号線に接続されているものとが、２個ずつ交互に配置されていることが好ましい。
【０１３４】
また、本発明の表示装置の駆動方法は、上記有効表示領域の各絵素は、垂直または水平方向に隣接する３個の、Ｒ・Ｇ・Ｂにそれぞれ対応する絵素を１画素として、マトリクス状に配列されており、上記有効表示領域の各列の絵素は、絵素の一方側に隣接するデータ信号線に接続されているものと、絵素の他方側に隣接するデータ信号線に接続されているものとが、１個ずつ交互に配置されていることが好ましい。
【産業上の利用可能性】
【０１３５】
本発明は、千鳥配置の液晶パネルを備える液晶表示装置に関する分野に好適に用いることができるだけでなく、液晶表示装置の製造方法に関する分野に好適に用いることができ、さらには、液晶表示装置を備える各種電子機器に関する分野にも広く用いることができる。
【符号の説明】
【０１３６】
１０  液晶表示装置（表示装置）
１１  タイミングコントローラ
１２  映像信号受信部
１３  画像処理部
１４  ラインバッファ部
１５  映像信号マッピング部
１６  映像信号送信部
１７  ソースドライバ／ゲートドライバ用制御信号生成部
１８  ソースドライバ
１９  ゲートドライバ
２０，３０，４０  液晶パネル
２１  ソースバスライン（データ信号線）
２２  ゲートバスライン
２３，３３，４３  絵素
２４，３４，４４  画素
【図１】
2011007613.tif 000003
【図２】
2011007613.tif 000004
【図３】
2011007613.tif 000005
【図４】
2011007613.tif 000006
【図５】
2011007613.tif 000007
【図６】
2011007613.tif 000008
【図７】
2011007613.tif 000009
【図８】
2011007613.tif 000010
【図９】
2011007613.tif 000011
【図１０】
2011007613.tif 000012
【図１１】
2011007613.tif 000013
【図１２】
2011007613.tif 000014
【国際調査報告】
2011007613.tif 000015
2011007613.tif 000016
2011007613.tif 000017
2011007613.tif 000018